【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
撮像手段と、被写体を照明するための閃光発光手段と、撮影指示手段とを有する撮像装置の制御方法であって、
前記撮影指示手段による撮影指示に応答して前記閃光発光手段を発光させるとともに第１画像の撮影を行う第１の撮影工程と、
前記第１画像の少なくとも色温度情報を用いて、前記第１画像を処理するための色温度を演算する色温度演算工程と
を有することを特徴とする制御方法。
【請求項２】
前記閃光発光手段を用いて撮影するか否かを判断する判断工程を更に有することを特徴とする請求項１に記載の制御方法。
【請求項３】
前記閃光発光手段の発行前に得られる第２画像を記憶手段に格納する第２の撮影工程を更に有し、
前記色温度演算工程では、前記第１画像及び前記第２画像を用いて前記第１画像の色温度を演算することを特徴とする請求項２に記載の制御方法。
【請求項４】
前記第２画像は前記撮影指示手段による撮影指示に応じて、前記閃光発光手段の発光前に得られる画像であることを特徴とする請求項３に記載の制御方法。
【請求項５】
前記第２画像は、前記判断工程において、前記閃光発光手段を用いて撮影すると判断した場合に、前記閃光発光手段の発光前に得られる画像であることを特徴とする請求項３に記載の制御方法。
【請求項６】
前記色温度演算工程では、前記第２画像を用いて外光の色温度を検出する工程を含むことを特徴とする請求項３に記載の制御方法。
【請求項７】
前記色温度演算工程では、前記第２画像を用いて外光の輝度を検出する工程を含むことを特徴とする請求項３に記載の制御方法。
【請求項８】
前記第１画像に対して、前記演算した色温度に対応するホワイトバランス補正を行うホワイトバランス補正工程を更に有することを特徴とする請求項１に記載の制御方法。
【請求項９】
前記色温度演算工程は、前記第１画像を用いて前記閃光発光手段の色温度を演算する工程を含むことを特徴とする請求項３に記載の制御方法。
【請求項１０】
前記色温度演算工程は、前記第１画像を用いて前記閃光発光手段の輝度を検出する工程を含むことを特徴とする請求項１に記載の制御方法。
【請求項１１】
前記色温度演算工程は、
前記第１画像を用いて前記閃光発光手段の輝度を検出する工程と、
前記第２画像を用いて外光の色温度を検出する工程と、
前記第２画像を用いて外光の輝度を検出する工程と、
前記外光及び前記閃光発光手段の色温度を、前記外光及び前記閃光発光手段の輝度に基づいて混合する工程と
を有することを特徴とする請求項９に記載の制御方法。
【請求項１２】
前記第１画像撮影時と前記第２画像撮影時とで露出条件が異なる場合、前記混合工程では露出条件による差分を補正して混合することを特徴とする請求項１１に記載の制御方法。
【請求項１３】
前記第１画像撮影時と前記第２画像撮影時とで前記撮像手段の感度が異なる場合、前記混合工程では感度差分を補正して混合することを特徴とする請求項１１または１２に記載の制御方法。
【請求項１４】
前記第１画像撮影時と前記第２画像撮影時とで分光感度が異なる場合、前記混合工程では分光感度差分を補正して混合することを特徴とする請求項１１乃至１３のいずれかに記載の制御方法。
【請求項１５】
撮像手段と、被写体を照明するための閃光発光手段と、撮影指示手段とを有する撮像装置の制御装置であって、
前記撮影指示手段による撮影指示に応答して前記閃光発光手段を発光させるとともに第１画像の撮影を行う第１の撮影制御手段と、
前記第１画像の少なくとも色温度情報を用いて、前記第１画像を処理するための色温度を演算する色温度演算手段と
を有することを特徴とする制御装置。
【請求項１６】
前記閃光発光手段を用いて撮影するか否かを判断する判断手段を更に有することを特徴とする請求項１５に記載の制御装置。
【請求項１７】
前記閃光発光手段の発行前に得られる第２画像を記憶手段に格納する第２の撮影制御手段を更に有し、
前記色温度演算手段は、前記第１画像及び前記第２画像を用いて前記第１画像の色温度を演算することを特徴とする請求項１６に記載の制御装置。
【請求項１８】
前記第２画像は前記撮影指示手段による撮影指示に応じて、前記閃光発光手段の発光前に得られる画像であることを特徴とする請求項１７に記載の制御装置。
【請求項１９】
前記第２画像は、前記判断手段が前記閃光発光手段を用いて撮影すると判断した場合に、前記閃光発光手段の発光前に得られる画像であることを特徴とする請求項１７に記載の制御装置。
【請求項２０】
前記色温度演算手段は、前記第２画像を用いて外光の色温度を検出する手段を含むことを特徴とする請求項１７に記載の制御装置。
【請求項２１】
前記色温度演算手段は、前記第２画像を用いて外光の輝度を検出する手段を含むことを特徴とする請求項１７に記載の制御装置。
【請求項２２】
前記第１画像に対して、前記演算した色温度に対応するホワイトバランス補正を行うホワイトバランス補正手段を更に有することを特徴とする請求項１５に記載の制御装置。
【請求項２３】
前記色温度演算手段は、前記第１画像を用いて前記閃光発光手段の色温度を演算する手段を含むことを特徴とする請求項１５に記載の制御装置。
【請求項２４】
前記色温度演算手段は、前記第１画像を用いて前記閃光発光手段の輝度を検出する手段を含むことを特徴とする請求項１５に記載の制御装置。
【請求項２５】
前記色温度演算手段は、
前記第１画像を用いて前記閃光発光手段の輝度を検出する手段と、
前記第２画像を用いて外光の色温度を検出する手段と、
前記第２画像を用いて外光の輝度を検出する手段と、
前記外光及び前記閃光発光手段の色温度を、前記外光及び前記閃光発光手段の輝度に基づいて混合する手段と
を有することを特徴とする請求項２３に記載の制御装置。
【請求項２６】
前記第１画像撮影時と前記第２画像撮影時とで露出条件が異なる場合、前記混合手段は露出条件による差分を補正して混合することを特徴とする請求項２５に記載の制御装置。
【請求項２７】
前記第１画像撮影時と前記第２画像撮影時とで前記撮像手段の感度が異なる場合、前記混合手段は感度差分を補正して混合することを特徴とする請求項２５または２６に記載の制御装置。
【請求項２８】
前記第１画像撮影時と前記第２画像撮影時とで分光感度が異なる場合、前記混合手段では分光感度差分を補正して混合することを特徴とする請求項２５乃至２７のいずれかに記載の制御装置。
【請求項２９】
請求項１５乃至２８のいずれかに記載の制御装置を含む撮像装置。
【請求項３０】
請求項１乃至１４のいずれかに記載の制御方法を実現するためのプログラムコードを有することを特徴とする情報処理装置が実行可能なプログラム。
【請求項３１】
情報処理装置が実行可能なプログラムであって、前記プログラムを実行した情報処理装置を、請求項１５乃至２８のいずれかに記載の制御装置として機能させることを特徴とするプログラム。
【請求項３２】
請求項３０又は３１に記載のプログラムを記憶したことを特徴とする情報処理装置が読み取り可能な記憶媒体。
【手続補正２】
【補正対象書類名】明細書
【補正対象項目名】０００７
【補正方法】変更
【補正の内容】
【０００７】
【課題を解決するための手段】
上記目的を達成するために、撮像手段と、被写体を照明するための閃光発光手段と、撮影指示手段とを有する撮像装置の本発明の制御方法は、前記撮影指示手段による撮影指示に応答して前記閃光発光手段を発光させるとともに第１画像の撮影を行う第１の撮影工程と、前記第１画像の少なくとも色温度情報を用いて、前記第１画像を処理するための色温度を演算する色温度演算工程とを有することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、上記目的を達成するために、撮像手段と、被写体を照明するための閃光発光手段と、撮影指示手段とを有する撮像装置の本発明の制御装置または当該制御装置を含む撮像装置は、前記撮影指示手段による撮影指示に応答して前記閃光発光手段を発光させるとともに第１画像の撮影を行う第１の撮影制御手段と、前記第１画像の少なくとも色温度情報を用いて、前記第１画像を処理するための色温度を演算する色温度演算手段とを有することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００２０
【補正方法】変更
【補正の内容】
【００２０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【手続補正１１】
【補正対象書類名】明細書
【補正対象項目名】００４７
【補正方法】変更
【補正の内容】
【００４７】
次に、図２乃至図８を参照して、本発明の実施の形態における上記構成を有する撮像装置１００の動作を説明する。